【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
医療分析学プラットフォームを操作する方法であって、前記医療分析学プラットフォームは、分析学サービスプロバイダ（ＡＳＰ）システムおよび被保護健康情報（ＰＨＩ）システムを備える、当該方法は、
前記ＡＳＰシステムの少なくとも１つのプロセッサによって、前記ＡＳＰシステムの少なくとも１つの非一時的プロセッサ可読記憶媒体上に、非識別化された医療スタディデータを記憶するステップと、
前記ＰＨＩシステムの少なくとも１つのプロセッサによって、前記ＰＨＩシステムの少なくとも１つの非一時的プロセッサ可読記憶媒体上に、前記非識別化された医療スタディデータに関連付けられたＰＨＩデータを記憶するステップと、
前記ＰＨＩシステムの前記少なくとも１つのプロセッサによって、少なくとも１つの通信ネットワーク上で、要求された医療スタディ用のＰＨＩデータをクライアントプロセッサベースデバイスに送るステップと、
前記ＡＳＰシステムの前記少なくとも１つのプロセッサによって、前記少なくとも１つの通信ネットワーク上で、前記要求された医療スタディについての非識別化された医療スタディデータを前記クライアントプロセッサベースデバイスに送るステップと、
前記ＡＳＰシステムの前記少なくとも１つのプロセッサによって、前記非識別化された医療スタディデータに関する分析学データを生成するステップと、
前記ＡＳＰシステムの前記少なくとも１つのプロセッサによって、前記生成された分析学データを、前記少なくとも１つの通信ネットワーク上で前記ＰＨＩシステムに送るステップと
を備えたことを特徴とする方法。
【請求項２】
前記ＰＨＩシステムはプライベートネットワークに通信可能に結合され、前記方法は、
前記ＡＳＰシステムの前記少なくとも１つのプロセッサまたは前記ＰＨＩシステムの前記少なくとも１つのプロセッサによって、前記クライアントプロセッサベースデバイスが前記プライベートネットワークへのアクセスを有することを検証するステップをさらに備えたことを特徴とする請求項１に記載の方法。
【請求項３】
前記ＡＳＰシステムの前記少なくとも１つのプロセッサによって、前記少なくとも１つの通信ネットワーク上で、前記クライアントプロセッサベースデバイスからＰＨＩアクセストークンについての要求を受信するステップと、
前記ＡＳＰシステムの前記少なくとも１つのプロセッサによって、前記少なくとも１つの通信ネットワーク上で、前記クライアントプロセッサベースデバイスに、暗号化されたＰＨＩアクセストークンを送るステップと、
前記ＰＨＩシステムの前記少なくとも１つのプロセッサによって、前記医療スタディ用のＰＨＩデータについての要求を前記クライアントプロセッサベースデバイスから受信するステップであって、前記要求は、前記暗号化されたＰＨＩアクセストークンを含む、該ステップと、
前記ＰＨＩシステムの前記少なくとも１つのプロセッサによって、前記少なくとも１つの通信ネットワーク上で、前記暗号化されたＰＨＩアクセストークンを前記ＡＳＰシステムに送るステップと、
前記ＡＳＰシステムの前記少なくとも１つのプロセッサによって、前記受信された、暗号化されたＰＨＩアクセストークンを有効性確認するステップと、
前記ＡＳＰシステムの前記少なくとも１つのプロセッサによって、前記ＰＨＩアクセストークンが有効であることを前記ＰＨＩシステムに通知するステップと
をさらに備え、
前記要求されたＰＨＩデータを前記クライアントプロセッサベースデバイスに送るステップは、前記ＰＨＩシステムの前記少なくとも１つのプロセッサが前記ＡＳＰシステムから前記有効性確認通知を受信したことに応答することを特徴とする請求項１に記載の方法。
【請求項４】
前記ＰＨＩシステムの前記少なくとも１つのプロセッサによって、ＰＨＩデータを含む医療スタディデータを受信するステップと、
前記ＰＨＩシステムの前記少なくとも１つのプロセッサによって、前記医療スタディデータから前記ＰＨＩデータを削除して、非識別化された医療スタディデータを生成するステップと、
前記ＰＨＩシステムの前記少なくとも１つのプロセッサによって、前記ＰＨＩシステムの前記少なくとも１つの非一時的プロセッサ可読記憶媒体中に前記ＰＨＩデータを記憶するステップと、
前記ＰＨＩシステムの前記少なくとも１つのプロセッサによって、前記少なくとも１つの通信ネットワーク上で、前記非識別化された医療スタディデータを前記ＡＳＰシステムに送るステップと
をさらに備えたことを特徴とする請求項１に記載の方法。
【請求項５】
ＰＨＩデータを含む医療スタディデータを受信するステップは、スキャナから医療撮像データを受信するステップを備えたことを特徴とする請求項４に記載の方法。
【請求項６】
前記非識別化された医療スタディデータを前記ＡＳＰシステムに送るステップは、表現状態転送（ＲＥＳＴ）アプリケーションプログラミングインタフェースを使用して、前記非識別化された医療スタディデータを前記ＡＳＰシステムに送るステップを備えたことを特徴とする請求項４に記載の方法。
【請求項７】
前記医療スタディデータから前記ＰＨＩデータを削除するステップは、
前記ＰＨＩシステムの前記少なくとも１つのプロセッサによって、消去されることが許されるフィールドを削除するステップと、
前記ＰＨＩシステムの前記少なくとも１つのプロセッサによって、消去されることが許されないフィールド中のデータを、不明瞭化された置換えデータと置き換えるステップと
を備えたことを特徴とする請求項４に記載の方法。
【請求項８】
前記ＰＨＩシステムの前記少なくとも１つのプロセッサによって、医療スタディについての前記医療スタディデータに一意の識別子を関連付けるステップと、
前記ＰＨＩシステムの前記少なくとも１つのプロセッサによって、前記ＰＨＩシステムの前記少なくとも１つの非一時的プロセッサ可読記憶媒体中に前記一意の識別子を記憶するステップと、
前記ＰＨＩシステムの前記少なくとも１つのプロセッサによって、前記医療スタディについての前記非識別化された医療データとともに前記一意の識別子を、前記少なくとも１つの通信ネットワーク上で前記ＡＳＰシステムに送るステップと
をさらに備えたことを特徴とする請求項４に記載の方法。
【請求項９】
前記クライアントプロセッサベースデバイスの少なくとも１つのプロセッサによって、前記少なくとも１つの通信ネットワーク上で前記ＰＨＩシステムから前記ＰＨＩデータを受信するステップと、
前記クライアントプロセッサベースデバイスの前記少なくとも１つのプロセッサによって、前記少なくとも１つの通信ネットワーク上で前記ＡＳＰシステムから、前記非識別化された医療スタディデータを受信するステップと、
前記クライアントプロセッサベースデバイスの前記少なくとも１つのプロセッサによって、前記ＰＨＩデータと前記非識別化された医療スタディデータとをマージして、再識別された医療スタディデータを生成するステップと、
前記クライアントプロセッサベースデバイスの前記少なくとも１つのプロセッサによって、前記再識別された医療スタディデータを前記クライアントプロセッサベースデバイスのユーザに提示するステップと
をさらに備えたことを特徴とする請求項１に記載の方法。
【請求項１０】
前記ＡＳＰシステムの前記少なくとも１つのプロセッサによって、分析学データを生成するための要求を、前記少なくとも１つの通信ネットワーク上で前記クライアントプロセッサベースデバイスから受信するステップをさらに備え、
前記分析学データを生成するステップは、分析学データを生成するための前記要求を前記クライアントプロセッサベースデバイスから受信したことに応答することを特徴とする請求項１に記載の方法。
【請求項１１】
分析学データを生成するステップは、レポートまたは２次キャプチャオブジェクトのうちの少なくとも１つを生成するステップを備え、前記生成された分析学データを前記ＰＨＩシステムに送るステップは、前記レポートまたは前記２次キャプチャオブジェクトのうちの前記少なくとも１つを、前記ＰＨＩシステムと通信可能に結合された前記少なくとも１つの非一時的プロセッサ可読記憶媒体上での記憶のために、前記少なくとも１つの通信ネットワーク上で前記ＰＨＩシステムに送るステップを備えたことを特徴とする請求項１に記載の方法。
【請求項１２】
前記ＰＨＩシステムの前記少なくとも１つのプロセッサによって、前記少なくとも１つの通信ネットワーク上で前記クライアントプロセッサベースデバイスに、利用可能スタディのリストを提供するステップと、
前記ＰＨＩシステムの前記少なくとも１つのプロセッサによって、前記リスト中の前記利用可能スタディのうちの少なくとも１つのスタディの選択を、前記少なくとも１つの通信ネットワーク上で前記クライアントプロセッサベースデバイスから受信するステップと
をさらに備えたことを特徴とする請求項１に記載の方法。
【請求項１３】
前記ＰＨＩシステムの前記少なくとも１つのプロセッサによって、更新についてのチェックを、前記少なくとも１つの通信ネットワーク上で前記ＡＳＰシステムに定期的に送るステップと、
前記ＡＳＰシステムの前記少なくとも１つのプロセッサによって、前記ＰＨＩシステムに対する何らかの更新が必要とされるかどうかを決定するステップと、
前記ＰＨＩシステムの少なくとも１つの更新が必要とされると決定したことに応答して、前記ＡＳＰの前記少なくとも１つのプロセッサによって、前記少なくとも１つの通信ネットワーク上で前記ＰＨＩシステムに更新データを送るステップとをさらに備えたことを特徴とする請求項１に記載の方法。
【請求項１４】
医療分析学プラットフォームの分析学サービスプロバイダ（ＡＳＰ）システムであって、前記医療分析学プラットフォームは前記ＡＳＰシステムおよび被保護健康情報（ＰＨＩ）システムを備え、前記ＰＨＩシステムは、非識別化された医療スタディデータに関連付けられたＰＨＩデータを、前記ＰＨＩシステムの少なくとも１つの非一時的プロセッサ可読記憶媒体上に記憶する、当該ＡＳＰシステムは、
プロセッサ実行可能命令またはデータのうちの少なくとも１つを記憶する少なくとも１つの非一時的プロセッサ可読記憶媒体と、
前記少なくとも１つの非一時的プロセッサ可読記憶媒体に伝達可能に結合された少なくとも１つのプロセッサと
を備え、動作中、前記少なくとも１つのプロセッサは、
前記非識別化された医療スタディデータを、前記少なくとも１つの非一時的プロセッサ可読記憶媒体上に記憶し、
クライアントプロセッサベースデバイスによって前記少なくとも１つの通信ネットワーク上で前記ＰＨＩシステムから受信されたＰＨＩデータと前記クライアントプロセッサベースデバイスによってマージされるように、要求された医療スタディについての非識別化された医療スタディデータを、少なくとも１つの通信ネットワーク上で前記クライアントプロセッサベースデバイスに送り、
前記非識別化された医療スタディデータに関する分析学データを生成し、
前記生成された分析学データを、前記少なくとも１つの通信ネットワーク上で前記ＰＨＩシステムに送る
ことを特徴とするＡＳＰシステム。
【請求項１５】
前記少なくとも１つのプロセッサは、
ＰＨＩアクセストークンについての要求を、少なくとも１つの通信ネットワーク上で前記クライアントプロセッサベースデバイスから受信し、
暗号化されたＰＨＩアクセストークンを、前記少なくとも１つの通信ネットワーク上で前記クライアントプロセッサベースデバイスに送り、
前記暗号化されたＰＨＩアクセストークンを、前記少なくとも１つの通信ネットワーク上で前記ＰＨＩシステムから受信し、
前記受信された、暗号化されたＰＨＩアクセストークンを有効性確認し、
前記少なくとも１つの通信ネットワーク上で、前記ＰＨＩアクセストークンが有効であることを前記ＰＨＩシステムに通知する
ことを特徴とする請求項１４に記載のＡＳＰシステム。
【請求項１６】
前記少なくとも１つのプロセッサは、
分析学データを生成するための要求を、前記少なくとも１つの通信ネットワーク上で前記クライアントプロセッサベースデバイスから受信し、
前記少なくとも１つのプロセッサは、前記クライアントプロセッサベースデバイスからの、分析学データを生成するための前記要求の受信に応答して、前記分析学データを生成することを特徴とする請求項１４に記載のＡＳＰシステム。
【請求項１７】
前記分析学データはレポートまたは２次キャプチャオブジェクトのうちの少なくとも１つを備え、前記少なくとも１つのプロセッサは、
前記レポートまたは前記２次キャプチャオブジェクトのうちの前記少なくとも１つを、前記ＰＨＩシステムと通信可能に結合された少なくとも１つの非一時的プロセッサ可読記憶媒体上での記憶のために、前記少なくとも１つの通信ネットワーク上で前記ＰＨＩシステムに送ることを特徴とする請求項１４に記載のＡＳＰシステム。
【請求項１８】
前記少なくとも１つのプロセッサは、
更新についてのチェックを、前記少なくとも１つの通信ネットワーク上で前記ＰＨＩシステムから定期的に受信し、
前記ＰＨＩシステムに対する何らかの更新が必要とされるかどうかを決定し、
前記ＰＨＩシステムの少なくとも１つの更新が必要とされるという決定に応答して、更新データを、前記少なくとも１つの通信ネットワーク上で前記ＰＨＩシステムに送る
ことを特徴とする請求項１４に記載のＡＳＰシステム。
【請求項１９】
医療分析学プラットフォームの被保護健康情報（ＰＨＩ）システムであって、前記医療分析学プラットフォームは前記ＰＨＩシステムおよび分析学サービスプロバイダ（ＡＳＰ）システムを備え、前記ＡＳＰシステムは、非識別化された医療スタディデータを、前記ＡＳＰシステムの少なくとも１つの非一時的プロセッサ可読記憶媒体上に記憶する、当該ＰＨＩシステムは、
プロセッサ実行可能命令またはデータのうちの少なくとも１つを記憶する少なくとも１つの非一時的プロセッサ可読記憶媒体と、
前記少なくとも１つの非一時的プロセッサ可読記憶媒体に伝達可能に結合された少なくとも１つのプロセッサと
を備え、動作中、前記少なくとも１つのプロセッサは、
前記非識別化された医療スタディデータに関連付けられたＰＨＩデータを、前記ＰＨＩシステムの少なくとも１つの非一時的プロセッサ可読記憶媒体上に記憶し、
前記医療スタディ用のＰＨＩデータについての要求を、クライアントプロセッサベースデバイスから受信し、前記要求は暗号化されたＰＨＩアクセストークンを含み、
前記暗号化されたＰＨＩアクセストークンを有効性確認のために、前記少なくとも１つの通信ネットワーク上で前記ＡＳＰシステムに送り、
前記ＰＨＩアクセストークンが有効であるという通知を、前記ＡＳＰシステムから受信し、
前記クライアントプロセッサベースデバイスによって前記少なくとも１つの通信ネットワーク上で前記ＡＳＰシステムから受信された非識別化された医療スタディデータと前記クライアントプロセッサベースデバイスによってマージされるように、要求された医療スタディ用のＰＨＩデータを、少なくとも１つの通信ネットワーク上で前記クライアントプロセッサベースデバイスに送ることとを行う
ことを特徴とするＰＨＩシステム。
【請求項２０】
前記少なくとも１つのプロセッサは、
ＰＨＩデータを含む医療スタディデータを受信し、
前記医療スタディデータから前記ＰＨＩデータを削除して、非識別化された医療スタディデータを生成し、
前記ＰＨＩシステムの前記少なくとも１つの非一時的プロセッサ可読記憶媒体中に、前記ＰＨＩデータを記憶し、
前記非識別化された医療スタディデータを、前記少なくとも１つの通信ネットワーク上で前記ＡＳＰシステムに送る
ことを特徴とする請求項１９に記載のＰＨＩシステム。